(57)【要約】【課題】サーボ層と記録再生層を備える光記録媒体に対する光記録再生方法において、記録再生可能な記録再生層の層数を増やしながらも、記録又は再生時の転送レートを向上させる。【解決手段】サーボ層１８と記録再生層を有する光記録媒体１０に情報を記録する際に、トラッキング用ビーム２７０Ａを、サーボ層１８、２０に照射してトラッキング制御を行いながら、第１記録再生層１４に対して第１記録再生用ビーム１７０Ａを照射して、第１表面１０Ａ側から視て第１回転方向に情報の記録を行う（第１記録動作）。また、この第１記録動作と共通のサーボ層１８、２０を用いてトラッキング制御を行いながら、第２記録再生層３４に対して第２記録再生用ビーム１７０Ｂを照射して、第２表面３０Ａ側から視て、第１回転方向と反対の第２回転方向に情報の記録を行う（第２記録動作）。【選択図】図１
2012208990.tif 000002
【特許請求の範囲】
【請求項１】
トラッキング制御用の凹凸又は溝を有するサーボ層と、前記サーボ層に対して第１表面側に予め積層され又は事後的に形成され、トラッキング制御用の凹凸を有しない複数の第１記録再生層と、前記サーボ層に対して第２表面側に予め積層され又は事後的に形成され、トラッキング制御用の凹凸を有しない複数の第２記録再生層と、を有する光記録媒体に対して情報を記録再生する光記録再生方法であって、
トラッキング用ビームを前記サーボ層に照射してトラッキング制御を行いながら、前記第１表面から前記第１記録再生層に対して第１記録再生用ビームを照射することで、前記第１表面側から視て第１回転方向に情報の記録を行う第１記録動作と、
前記第１記録動作と同時に実行され、前記第１記録動作と共通の前記サーボ層を用いてトラッキング制御を行いながら、前記第２表面から前記第２記録再生層に対して第２記録再生用ビームを照射することで、前記第２表面側から視て前記第１回転方向と反対の第２回転方向に情報の記録を行う第２記録動作と、
を有することを特徴とする光記録媒体の光記録再生方法。
【請求項２】
前記第１記録再生用ビーム及び前記第２記録再生用ビームを互いに略同軸状態に維持しながら、前記第１記録動作及び前記第２記録動作を同時に実行することを特徴とする、
請求項１に記載の光記録媒体の光記録再生方法。
【請求項３】
前記サーボ層に対して共通の前記トラッキング用ビームを照射して、前記第１記録動作及び前記第２記録動作を同時に実行することを特徴とする、
請求項１又は２に記載の光記録媒体の光記録再生方法。
【請求項４】
前記第１及び前記第２記録再生ビームを制御するデジタル信号処理装置によって、前記光記録媒体に記録するデータを、前記第１記録動作側の第１データと、前記第２記録動作側の第２データに分割することを特徴とする、
請求項１乃至３のいずれかに記載の光記録媒体の光記録再生方法。
【請求項５】
前記光記録媒体は、前記サーボ層として、
第１スパイラル方向に前記トラッキング制御用の凹凸又は溝を有する第１サーボ層と、前記第１スパイラル方向と反対の第２スパイラル方向に前記トラッキング制御用の凹凸又は溝を有する第２サーボ層と、を備えるようにし、
共通の前記第１サーボ層を利用して前記光記録媒体の内周側から外周側に向かってトラッキング制御を行いながら、前記第１記録動作及び前記第２記録動作を行う工程と、
共通の前記第２サーボ層を利用して前記光記録媒体の外周側から内周側に向かってトラッキング制御を行いながら、前記第１記録動作及び前記第２記録動作を行う工程と、を有することを特徴とする、
請求項１乃至４のいずれかに記載の光記録媒体の光記録再生方法。
【請求項６】
前記トラッキング用ビームの波長と、前記第１又は第２記録再生用ビームの波長が、互いに異なることを特徴とする、
請求項１乃至５のいずれかに記載の光記録媒体の光記録再生方法。
【請求項７】
前記第１又は第２記録再生用ビームの波長が３８０〜４５０ｎｍの範囲内であることを特徴とする、
請求項１乃至６のいずれかに記載の光記録媒体の光記録再生方法。
【請求項８】
第１スパイラル方向に前記トラッキング制御用の凹凸又は溝を有する第１サーボ層と、
前記第１スパイラル方向と反対の第２スパイラル方向に前記トラッキング制御用の凹凸又は溝を有する第２サーボ層と、
前記第１及び第２サーボ層に対して第１表面側に予め積層され又は事後的に形成され、トラッキング制御用の凹凸を有しない複数の第１記録再生層と、
前記第１及び第２サーボ層に対して第２表面側に予め積層され又は事後的に形成され、トラッキング制御用の凹凸を有しない複数の第２記録再生層と、
を有することを特徴とする光記録媒体。
【請求項９】
トラッキング制御用の凹凸又は溝を有するサーボ層と、前記サーボ層に対して第１表面側に予め積層され又は事後的に形成され、トラッキング制御用の凹凸を有しない複数の第１記録再生層と、前記サーボ層に対して第２表面側に予め積層され又は事後的に形成され、トラッキング制御用の凹凸を有しない複数の第２記録再生層と、を有する光記録媒体に対して情報を記録再生する記録再生装置であって、
トラッキング用ビームを前記サーボ層に照射するトラッキング用光学系と、
前記トラッキング用光学系を利用したトラッキング制御を行うと共に、前記第１表面から前記第１記録再生層に対して第１記録再生用ビームを照射して、前記第１表面側から視て第１回転方向に情報の記録を行う第１記録再生用光学系と、
前記第１記録再生光学系と同時に記録を行うようになっており、前記トラッキング用光学系を利用したトラッキング制御が行われると共に、前記第２表面から前記第２記録再生層に対して第２記録再生用ビームを照射して、前記第２表面側から視て前記第１回転方向と反対の第２回転方向に情報の記録を行う第２記録再生用光学系と、
を有することを特徴とする光記録媒体の光記録再生装置。
【請求項１０】
前記第１記録再生用光学系及び前記トラッキング用光学系を共にトラッキング方向に移動させる第１直動機構と、
前記第２記録再生用光学系をトラッキング方向に移動させる第２直動機構と、を備え、
前記第２直動機構は、前記トラッキング用光学系における前記トラッキング信号を利用して制御されることを特徴とする、
請求項９に記載の光記録媒体の光記録再生装置。
【請求項１１】
前記光記録媒体に記録するデータを、前記第１記録再生用光学系によって前記第１記録再生層に記録する第１データと、前記第２記録再生用光学系によって前記第２記録再生層に記録する第２データと、に分割するデジタル信号処理装置を有することを特徴とする、
請求項９又は１０に記載の光記録媒体の光記録再生装置。
【発明の詳細な説明】
【技術分野】
【０００１】
本発明は、複数の記録再生層を有する光記録媒体、この光記録媒体に対して記録又は再生を行う光記録再生方法及び光記録再生装置に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定している。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【０００４】
更に最近では、２０層のＲＯＭ型の光記録媒体（非特許文献３参照）や、１０層から１６層の追記型の光記録媒体（非特許文献４、５、６参照）等の技術提案がなされており、ＢＤ規格と同様の光学系（波長及び開口数）を用いて５００ＧＢ程度の記録容量を達成できる可能性が高まってきている。
【０００５】
一方、光記録媒体において記録再生層を多層化する場合、各記録再生層に対してグルーブ／ランド等のトラッキング制御用の凹凸を形成しようとすると、媒体構成が複雑となり、偏芯調整などの作業が困難になることが懸念される。また、記録再生層を設けるごとに凸凹を形成するための母型となるスタンパが必要となり、多層化すればするほど、このスタンパを使う回数が増え製造コストが増大する。
【０００６】
そこで近年、光記録媒体において、凹凸や溝を有するサーボ層と、凹凸や溝を有しない記録再生層を別々に設けるようにし、トラッキング制御専用のビームを用いてサーボ層からトラッキング信号を得ながら、記録再生専用のビームによって記録再生層に情報を記録する技術が提案されている（特許文献１、２、３参照）。
【先行技術文献】
【特許文献】
【０００７】
【特許文献１】特開２００８−９７６９３号公報
【特許文献２】特開２００８−９７６９４号公報
【特許文献３】国際公開ＷＯ２００８／０９９７０８
【非特許文献】
【０００８】
【非特許文献１】I. Ichimura et. al., Appl. Opt, 45, 1974-1803 (2006)
【非特許文献２】K. Mishima et. al., Proc. of SPIE, 6282, 62820I (2006)
【非特許文献３】A. Mitsumori et. al., Jpn. J. Appl. Phys., 48, 03A055 (2009)
【非特許文献４】T. Kikukawa et. al., Jpn. J. Appl. Phys., 49, 08KF01 (2010)
【非特許文献５】M. Inoue et. al., Proc. SPIE, 7730, 77300D (2010)
【非特許文献６】M. Ogasawara et. al., Tech. Dig. of International Symposium on Optical Memory 2010, 224 (2010)
【発明の概要】
【発明が解決しようとする課題】
【０００９】
上述技術のように、記録再生層の層数を増大させると、光記録媒体の容量は増大するが、これだけでは記録再生速度の向上には繋がらない。例えば、光記録媒体の記録容量が増大する一方で、記録速度の向上が伴わないと、記録作業における利用者の待機時間が長くなり、感覚的な利便性が低下するという問題があった。
【００１０】
上記技術のように、記録再生層の層数を増大させると、光記録媒体内には、厚さ方向の広範囲に亘って記録再生層が配置される。この結果、記録再生用の光ピックアップは、厚さ方向の広い範囲にビームをフォーカスさせる必要が出てくるため、球面収差の補正範囲を広く設定しなければならない。従って、光ピックアップの構成が複雑化・大型化すると共に、光ピックアップによる記録再生層のシーク時間が長くなるという問題があった。
【００１１】
また、特許文献１〜３のように、複数のサーボ層を形成することで記録再生層数の増大を実現しようとすると、光記録媒体の製造時において、記録再生層とスペーサ層を交互に積層していく工程を経るため、製造工程が複雑化する。更に、複数のサーボ層を光記録媒体の一方の面側に形成すると、成膜時の内部応力が光記録媒体の一方に片寄り易いため、光記録媒体に反りや歪みが生じやすいという問題があった。
【００１２】
本発明は上記問題点に鑑みてなされたものであり、サーボ層と記録再生層を有する光記録媒体に対して、記録再生層の層数を増大させながらも、記録又は再生時の転送レートを向上させる光記録再生手法等を提供することを目的としている。
【課題を解決するための手段】
【００１３】
本発明者らの鋭意研究によって、上記目的は以下の手段によって達成される。
【００１４】
即ち、上記目的を達成する本発明は、トラッキング制御用の凹凸又は溝を有するサーボ層と、前記サーボ層に対して第１表面側に予め積層され又は事後的に形成され、トラッキング制御用の凹凸を有しない複数の第１記録再生層と、前記サーボ層に対して第２表面側に予め積層され又は事後的に形成され、トラッキング制御用の凹凸を有しない複数の第２記録再生層と、を有する光記録媒体に対して情報を記録再生する光記録再生方法であって、トラッキング用ビームを前記サーボ層に照射してトラッキング制御を行いながら、前記第１表面から前記第１記録再生層に対して第１記録再生用ビームを照射することで、前記第１表面側から視て第１回転方向に情報の記録を行う第１記録動作と、前記第１記録動作と同時に実行され、前記第１記録動作と共通の前記サーボ層を用いてトラッキング制御を行いながら、前記第２表面から前記第２記録再生層に対して第２記録再生用ビームを照射することで、前記第２表面側から視て前記第１回転方向と反対の第２回転方向に情報の記録を行う第２記録動作と、を有することを特徴とする光記録媒体の光記録再生方法である。
【００１５】
上記目的を達成する上記光記録再生方法は、前記第１記録再生用ビーム及び前記第２記録再生用ビームを互いに略同軸状態に維持しながら、前記第１記録動作及び前記第２記録動作を同時に実行することを特徴とする。
【００１６】
上記目的を達成する上記光記録再生方法は、前記サーボ層に対して共通の前記トラッキング用ビームを照射して、前記第１記録動作及び前記第２記録動作を同時に実行することを特徴とする。
【００１７】
上記目的を達成する上記光記録再生方法は、前記第１及び前記第２記録再生ビームを制御するデジタル信号処理装置によって、前記光記録媒体に記録するデータを、前記第１記録動作側の第１データと、前記第２記録動作側の第２データに分割することを特徴とする。
【００１８】
上記目的を達成する上記光記録再生方法において、前記光記録媒体は、前記サーボ層として、第１スパイラル方向に前記トラッキング制御用の凹凸又は溝を有する第１サーボ層と、前記第１スパイラル方向と反対の第２スパイラル方向に前記トラッキング制御用の凹凸又は溝を有する第２サーボ層と、を備えるようにし、共通の前記第１サーボ層を利用して前記光記録媒体の内周側から外周側に向かってトラッキング制御を行いながら、前記第１記録動作及び前記第２記録動作を行う工程と、共通の前記第２サーボ層を利用して前記光記録媒体の外周側から内周側に向かってトラッキング制御を行いながら、前記第１記録動作及び前記第２記録動作を行う工程と、を有することを特徴とする。
【００１９】
上記目的を達成する上記光記録再生方法は、前記トラッキング用ビームの波長と、前記第１又は第２記録再生用ビームの波長が、互いに異なることを特徴とする。
【００２０】
上記目的を達成する上記光記録再生方法において、前記第１又は第２記録再生用ビームの波長が３８０〜４５０ｎｍの範囲内であることを特徴とする。
【００２１】
上記目的を達成する本発明は、第１スパイラル方向に前記トラッキング制御用の凹凸又は溝を有する第１サーボ層と、前記第１スパイラル方向と反対の第２スパイラル方向に前記トラッキング制御用の凹凸又は溝を有する第２サーボ層と、前記第１及び第２サーボ層に対して第１表面側に予め積層され又は事後的に形成され、トラッキング制御用の凹凸を有しない複数の第１記録再生層と、前記第１及び第２サーボ層に対して第２表面側に予め積層され又は事後的に形成され、トラッキング制御用の凹凸を有しない複数の第２記録再生層と、を有することを特徴とする光記録媒体である。
【００２２】
上記目的を達成する本発明は、トラッキング制御用の凹凸又は溝を有するサーボ層と、前記サーボ層に対して第１表面側に予め積層され又は事後的に形成され、トラッキング制御用の凹凸を有しない複数の第１記録再生層と、前記サーボ層に対して第２表面側に予め積層され又は事後的に形成され、トラッキング制御用の凹凸を有しない複数の第２記録再生層と、を有する光記録媒体に対して情報を記録再生する記録再生装置であって、トラッキング用ビームを前記サーボ層に照射するトラッキング用光学系と、前記トラッキング用光学系を利用したトラッキング制御を行うと共に、前記第１表面から前記第１記録再生層に対して第１記録再生用ビームを照射して、前記第１表面側から視て第１回転方向に情報の記録を行う第１記録再生用光学系と、前記第１記録再生光学系と同時に記録を行うようになっており、前記トラッキング用光学系を利用したトラッキング制御が行われると共に、前記第２表面から前記第２記録再生層に対して第２記録再生用ビームを照射して、前記第２表面側から視て前記第１回転方向と反対の第２回転方向に情報の記録を行う第２記録再生用光学系と、を有することを特徴とする光記録媒体の光記録再生装置である。
【００２３】
上記目的を達成する上記光記録再生装置は、前記第１記録再生用光学系及び前記トラッキング用光学系を共にトラッキング方向に移動させる第１直動機構と、前記第２記録再生用光学系をトラッキング方向に移動させる第２直動機構と、を備え、前記第２直動機構は、前記トラッキング用光学系における前記トラッキング信号を利用して制御されることを特徴とする。
【００２４】
上記目的を達成する上記光記録再生装置は、前記光記録媒体に記録するデータを、前記第１記録再生用光学系によって前記第１記録再生層に記録する第１データと、前記第２記録再生用光学系によって前記第２記録再生層に記録する第２データと、に分割するデジタル信号処理装置を有することを特徴とする。
【発明の効果】
【００２５】
本発明によれば、サーボ層と記録再生層を有する光記録媒体に対して、記録再生層の層数を増大させながらも、記録又は再生時の転送レートを向上させることができる。
【図面の簡単な説明】
【００２６】
【図１】本発明の実施形態に係る光記録再生方法を実現する光記録再生装置及び光記録媒体の全体構成を示すブロック図である。
【図２】同光記録再生装置の第１光ピックアップの内部構成の例を示すブロック図である。
【図３】同光記録再生装置の第２光ピックアップの内部構成の例を示すブロック図である。
【図４】同光記録媒体の積層構造を示す断面図である。
【図５Ａ】同光記録媒体の製造手順を示す断面図である。
【図５Ｂ】同光記録媒体の製造手順を示す断面図である。
【図５Ｃ】同光記録媒体の製造手順を示す断面図である。
【図５Ｄ】同光記録媒体の製造手順を示す断面図である。
【図５Ｅ】同光記録媒体の製造手順を示す断面図である。
【図６】同光記録再生方法による光記録媒体への記録手順を拡大して示す断面図である。
【図７】同光記録再生方法による光記録媒体への記録手順を拡大して示す断面図である。
【図８】同光記録再生方法による光記録媒体の再生手順を拡大して示す断面図である。
【図９】同光記録再生方法による光記録媒体への記録再生手順を示す斜視図である。
【図１０】同光記録再生方法による光記録媒体の他の再生手順を拡大して示す断面図である。
【図１１】同光記録再生方法が適用される光記録媒体の他の積層構造例を示す断面図である。
【図１２】同光記録再生方法が適用される光記録媒体の他の積層構造例を示す断面図である。
【図１３】同光記録再生方法が適用される光記録媒体の他の積層構造例を示す断面図である。
【図１４】同光記録再生方法が適用される光記録媒体の他の積層構造例を示す断面図である。
【発明を実施するための形態】
【００２７】
以下、本発明の実施の形態を添付図面を参照して説明する。
【００２８】
図１には、本発明の実施形態に係る光記録再生方法が適用される光記録媒体１０と、この光記録再生方法を実現する光記録再生装置７０の内部構成が示されている。この記録再生装置７０は、第１、第２光ピックアップ９０Ａ、９０Ｂと、この第１、第２光ピックアップ９０Ａ、９０Ｂをトラッキング方向に移動させる第１、第２直動機構７５Ａ、７５Ｂと、この第１、第２直動機構７５Ａ、７５Ｂを制御するトラッキング制御装置８０と、外部の情報機器との間で記録又は再生するユーザ情報の入出力を行うと共に、光記録媒体１０に対する記録データ又は再生データを制御するデジタル信号処理装置８６を備えて構成される。
【００２９】
第１、第２直動機構７５Ａ、７５Ｂはいわゆるリニアモータであり、この上に第１、第２光ピックアップ９０Ａ、９０Ｂが搭載される。結果、第１光ピックアップ９０Ａは、第１直動機構７５Ａによって光記録媒体１０の半径方向に移動される。また、第２光ピックアップ９０Ｂは、第２直動機構７５Ｂによって光記録媒体１０の半径方向に移動される。
【００３０】
第１光ピックアップ９０Ａは、光記録媒体１０の一方の第１表面１０Ａ側からビームを照射する。第２光ピックアップ９０Ｂは、光記録媒体１０の他方の第２表面３０Ａ側からビームを照射する。なお、特に図示しないが、第１光ピックアップ９０Ａの光軸と第２光ピックアップ９０Ｂの光軸は同軸となっている。
【００３１】
第１、第２光ピックアップ９０Ａ、９０Ｂの内部構成は、一部は略同じであり、一部は異なっている。従って、互いに共通する部品・部材については、第１光ピックアップ９０Ａでは図中又は文章中の各符号の末尾にＡを付し、第２光ピックアップ９０Ｂで図中又は文章中の符号の末尾にＢを付し、末尾以外は同じ番号にする。ここでは第１光ピックアップ９０Ａの内部構成を詳細に説明することで、第２光ピックアップ９０Ｂは、第１光ピックアップ９０Ａと異なる点を中心に説明する。
【００３２】
図２に示されるように、第１光ピックアップ９０Ａは、記録再生用光学系１００Ａと、トラッキング用光学系２００Ａを備える。記録再生用光学系１００Ａは、光記録媒体１０の第１記録再生層群１４に対して記録・再生を行う光学系となる。トラッキング用光学系２００Ａは、記録再生用光学系１００Ａを利用して第１記録再生層群１４に情報を記録する際に、第１、第２サーボ層１８、２０を利用してトラッキング制御を行う光学系となる。
【００３３】
記録再生用光学系１００Ａの光源１０１Ａから出射された発散性の記録再生用のビーム１７０Ａは、球面収差補正手段１９３Ａを備えたコリメートレンズ１５３Ａを透過し、偏光ビームスプリッタ１５２Ａに入射する。なお、ビーム１７０Ａは青色波長３８０〜４５０ｎｍ（ここでは４０５ｎｍ）となっている。偏光ビームスプリッタ１５２Ａに入射したビーム１７０Ａは、この偏光ビームスプリッタ１５２Ａを透過して、更に４分の１波長板１５４Ａの透過によって円偏光に変換された後、トラッキング用光学系２００Ａのビームスプリッタ２６０Ａに入射する。このビームスプリッタ２６０Ａは、透過率が大きく、且つ反射率が小さく設定されている。具体的に反射率に対する透過率の比率が１０倍又はそれ以上に設定される。従って、ビーム１７０Ａはビームスプリッタ２６０Ａを透過して、対物レンズ１５６Ａで収束ビームに変換される。このビーム１７０Ａは、光記録媒体１０の内部に形成された、記録再生対象となる第１記録再生層群１４のいずれかに集光される。
【００３４】
対物レンズ１５６Ａの開口はアパーチャ１５５Ａで制限され、開口数ＮＡを０．７０〜０．９０（ここでは０．８５）としている。例えば、第１記録再生層群１４で反射されたビーム１７０Ａは、対物レンズ１５６Ａ、ビームスプリッタ２６０Ａ、及び４分の１波長板１５４Ａを透過して往路とは９０度異なる直線偏光に変換された後、偏光ビームスプリッタ１５２Ａで反射される。
【００３５】
偏光ビームスプリッタ１５２Ａで反射されたビーム１７０Ａは、集光レンズ１５９Ａを透過して収束光に変換され、シリンドリカルレンズ１５７Ａを経て、光検出器１３２Ａに入射する。ビーム１７０Ａには、シリンドリカルレンズ１５７Ａを透過する際、非点収差が付与される。
【００３６】
光検出器１３２Ａは、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、光記録媒体１０に記録された情報の再生信号等が生成される。ＦＥ信号およびＴＥ信号は、所望のレベルに増幅および位相補償が行われた後、アクチュエータ１９１Ａおよび１９２Ａにフィードバック供給される。このアクチュエータ１９１Ａおよび１９２Ａは、対物レンズ１５６Ａに対して、チルト制御、トラッキング制御、フォーカス制御等を行う。なお、記録再生用光学系１００Ａによるトラッキング誤差信号は再生時のみ利用される。
【００３７】
トラッキング用光学系２００Ａの光源２０１Ａから出射された、赤色波長６３０〜６８０ｎｍ（ここでは６５０ｎｍ）となる発散性のトラッキング制御用のビーム２７０Ａは、球面収差補正手段２９３Ａを備えたコリメートレンズ２５３Ａを透過し、偏光ビームスプリッタ２５２Ａに入射する。偏光ビームスプリッタ２５２Ａに入射したビーム２７０Ａは、偏光ビームスプリッタ２５２Ａを透過して、更に４分の１波長板２５４Ａを透過して円偏光に変換された後、ビームスプリッタ２６０Ａで反射される。このビーム２７０Ａは更に対物レンズ１５６Ａで収束ビームに変換されて、光記録媒体１０の内部に形成された第１、第２サーボ層１８、２０のいずれかに集光される。第１、第２サーボ層１８、２０で反射されたビーム２７０Ａは、対物レンズ１５６Ａを透過してビームスプリッタ２６０Ａで反射し、４分の１波長板２５４Ａにおいて往路とは９０度異なる直線偏光に変換された後、偏光ビームスプリッタ２５２Ａで更に反射される。偏光ビームスプリッタ２５２Ａで反射されたビーム２７０Ａは、集光レンズ２５９Ａを透過して収束光に変換され、シリンドリカルレンズ２５７Ａを経て、光検出器２３２Ａに入射する。ビーム２７０Ａには、シリンドリカルレンズ２５７Ａを透過する際、非点収差が付与される。
【００３８】
光検出器２３２Ａは、図示しない４つの受光部を有し、それぞれ受光した光量に応じた電流信号を出力する。これら電流信号から、プッシュプル法によるトラッキング誤差（ＴＥ）信号が生成される。なお、第１、第２サーボ層１８、２０にも情報が記録されている場合は、この電流信号から再生信号を生成してもよい。この光検出器２３２Ａ側では、フォーカス誤差（ＦＥ）信号を生成する必要はないが、勿論、フォーカス誤差（ＦＥ）信号を生成しても良い。
【００３９】
なお、既に述べたように、ビームスプリッタ２６０Ａは、透過率が大きく且つ反射率が小さく設定されている。従って、記録再生用光学系１００Ａの光源１０１Ａから出射され、第１記録再生層群１４のいずれかで反射した戻り光の一部は、ビームスプリッタ２６０Ａで反射してトラッキング用光学系２００Ａ側に進む。反対に、トラッキング用光学系２００Ａの光源２０１Ａから出射され、第１、第２サーボ層１８、２０で反射した戻り光の大部分は、ビームスプリッタ２６０Ａを透過して記録再生用光学系１００Ａ側に進む可能性がある。記録再生用光学系１００Ａとトラッキング用光学系２００Ａにおいて、両者の戻り光が混合する場合であっても、記録再生用光学系１００Ａとトラッキング用光学系２００Ａは、光記録媒体１０内において互いに異なる焦点位置となるため、各ビーム１７０Ａ、２７０Ａの拡がり角度が異なる。従って、特に図示しない一定形状のスリットやアパーチャを用いてビーム１７０Ａ、２７０Ａの一方のみを抽出してから、各光検出器１３２Ａ、２３２Ａに入射させることで、混合による影響を除去する。もちろん、波長選択性を有するフィルタによってビーム１７０Ａ、２７０Ａを分離しても良い。
【００４０】
とりわけ、記録再生用光学系１００Ａにおけるビーム１７０Ａの光記録媒体１０内の焦点位置と、トラッキング用光学系２００Ａのビーム２７０Ａの光記録媒体１０内の焦点位置の差が、常に一定の範囲内に収まるようにすると、上述のスリットやアパーチャを簡潔な構造にできるので、より簡便にビームの分離が可能となる。焦点距離の差を安定させるためには、記録再生用のビーム１７０Ａの焦点位置と、サーボ用のビーム２７０Ａの焦点位置が近い方が、誤差が小さくなるので好ましいと言える。
【００４１】
図３に示されるように、第２光ピックアップ９０Ｂは、記録再生用光学系１００Ｂを備えているが、トラッキング用光学系を備えていない。記録再生用光学系１００Ｂは、光記録媒体１０の第２記録再生層群３４に対して記録・再生を行う光学系となる。なお、この記録再生光学系１００Ｂは、第１光ピックアップ９０Ａの記録再生光学系１００Ａと略同じ構成となる。
【００４２】
第２光ピックアップ９０Ｂの記録再生用光学系１００Ｂによって、第２記録再生層群３４へ情報の記録する際は、第１光ピックアップ９０Ａのトラッキング用光学系２００Ａを第１、第２サーボ層１８、２０に照射することで得られるトラッキング誤差（ＴＥ）信号を用いる。具体的にアクチュエータ１９１Ｂおよび１９２Ｂは、、このトラッキング誤差信号を利用して、対物レンズ１５６Ｂに対して、チルト制御、トラッキング制御、フォーカス制御等を行う。
【００４３】
図１に戻って、トラッキング制御装置８０は、アクセスコントローラ８２、第１ドライバ８４Ａ、第２ドライバ８４Ｂを備える。アクセスコントローラ８２は、第１及び第２光ピックアップ９０Ａ、９０Ｂのアクチュエータ１９１Ａ、１９１Ｂ、１９２Ａ、１９２Ｂを制御すると共に、第１ドライバ８４Ａ及び第２ドライバ８４Ｂを利用して、目標とするトラッキング位置まで第１直動機構７５Ａ及び第２直動機構７５Ｂを制御する。
【００４４】
具体的にアクセスコントローラ８２は、以下のように第１、第２光ピックアップ９０Ａ、９０Ｂを制御する。
【００４５】
（記録時のアクセスコントローラの制御）アクセスコントローラ８２は、後述するデジタル信号処理装置８６から、記録対象とする記録再生層及びそのトラッキング番号を受けとり、記録対象となる記録再生層が、第１サーボ層１８を使用して記録再生を行うものか、第２サーボ層２０を使用して記録再生を行うものか判定する。更にアクセスコントローラ８２は、この判定結果から得られる第１又は第２サーボ層１８、２０のいずれかのトラッキング番号に相当するランド／グルーブに対して、第１光ピックアップ９０Ａのトラッキング用のビーム２７０Ａを照射する。これは、アクセスコントローラ８２が、トラッキング用光学系２００Ａのビーム２７０Ａによるトラッキング誤差（ＴＥ）信号を受けて、アクチュエータ１９１Ａ、１９２Ａと、第１直動機構７５Ａをフィードバック制御することで実現する。この状態で、第１光ピックアップ９０Ａは、記録再生用のビーム１７０Ａを第１記録再生層群１４に照射して情報を記録する。
【００４６】
これと同時に、アクセスコントローラ８２は、第１光ピックアップ９０Ａの上記トラッキング誤差（ＴＥ）信号を利用して、アクチュエータ１９１Ａ、１９２Ａと第２直動機構７５Ｂを制御する。即ち、アクチュエータ１９１Ａ、１９１Ｂ、１９２Ａ、１９２Ｂと第１直動機構７５Ａと第２直動機構７５Ｂは、トラッキング方向に完全に同じ動作をする。この状態で、第２光ピックアップ９０Ｂは記録再生用のビーム１７０Ｂを第２記録再生層群３４に照射して情報を記録する。結果、本実施形態では、共通の第１、第２サーボ層１８、２０を利用しながら第１、第２光ピックアップ９０Ａ、９０Ｂを同時にトラッキング制御して、第１、第２記録再生層群１４、３４に対して同時に情報を記録する。
【００４７】
（再生時のアクセスコントローラの制御）第１記録再生層群１４の再生は、第１光ピックアップ９０Ａの記録再生用光学系１００Ａのビーム１７０Ａを第１記録再生層群１４に照射することで行う。この際のトラッキング制御は、トラッキング用のビーム２７０Ａを利用せずに、アクセスコントローラ８２が、記録再生用のビーム１７０Ａのトラッキング誤差（ＴＥ）信号を直接利用して、アクチュエータ１９１Ａ、１９２Ａと第１直動機構７５Ａをフィードバック制御することで実現する。
【００４８】
第２記録再生層群３４の再生は、第２光ピックアップ９０Ｂの記録再生用光学系１００Ｂのビーム１７０Ｂを第２記録再生層群３４に照射することで行う。この際のトラッキング制御は、アクセスコントローラ８２が、第２光ピックアップ９０Ｂの記録再生用のビーム１７０Ｂのトラッキング誤差（ＴＥ）信号を直接利用して、アクチュエータ１９１Ｂ、１９２Ｂと第２直動機構７５Ｂをフィードバック制御することで実現する。即ち、本実施形態では、第１、第２光ピックアップ９０Ａ、９０Ｂで別々にトラッキング制御して、第１、第２記録再生層群１４、３４の情報を同時に再生する。
【００４９】
デジタル信号処理装置８６は、再生処理部８７Ａ、記録処理部８７Ｂ、分割／合成処理部８７Ｃ、入出力インターフェース部８７Ｄを備える。
【００５０】
再生処理部８７Ａは、第１、第２光ピックアップ９０Ａ、９０Ｂの光源１０１Ａ、１０１Ｂのパワーを、所定の再生レベルに一定に制御して、光記録媒体１０に記録されている情報を再生する。更に第１、第２光ピックアップ９０Ａ、９０Ｂのアナログ再生信号を受け取って、このアナログ信号をデジタル信号に変換する。
【００５１】
具体的に再生処理部８７Ａは、特に図示しないＡ／Ｄ変換器、ＰＲ等化器、ＭＬ復号器等によって、アナログ信号をデジタル信号に復号化する。Ａ／Ｄ変換器では、再生波形をデジタル値に変換する。ＰＲ等化器では、このデジタル値をサンプリングして、その電圧レベルをＰＲ参照クラス特性に近づかせるように等化処理を行う。ＭＬ復号器では、ＰＲ等価器で等化処理された信号から最尤理想応答を選択して、二値化されたデジタル信号を生成する。この結果、第１記録再生層群１４に記録されている情報は、第１光ピックアップ９０Ａによって再生されて、デジタル化された第１データとなる。また、第２記録再生層群３４に記録されている情報は、第２光ピックアップ９０Ｂによって再生されて、デジタル化された第２データとなる。この第１、第２データは分割／合成処理部８７Ｃに転送される。
【００５２】
記録処理部８７Ｂは、第１、第２光ピックアップ９０Ａ、９０Ｂの光源１０１Ａ、１０１Ｂのパワーを、所定の記録ストラテジに基づいて個別に制御して、光記録媒体１０に情報を記録したり消去したりする。具体的には、第１光ピックアップ９０Ａの光源１０１Ａの記録パワーを制御して、第１記録再生層群１４に対して第１データを記録する。また、第２光ピックアップ９０Ｂの光源１０１Ｂの記録パワーを制御して、第２記録再生層群３４に対して第２データを記録する。なお、この第１データ及び第２データは、分割／合成処理部８７Ｃから受け取る。
【００５３】
分割／合成処理部８７Ｃは、入出力インターフェース部８７Ｃから受け取った記録予定データを、第１データと第２データに分割して、記録処理部８７Ｂに伝達する。また、分割／合成処理部８７Ｃは、再生処理部８７Ａから受け取った第１データと第２データを合成して一つの再生データとし、この再生データを入出力インターフェース部８７Ｃに伝達する。
【００５４】
入出力インターフェース部８７Ｃは、外部の情報機器との間で、情報の入出力を行う。具体的には、外部の情報機器から記録すべきデータを受け取ったり、光記録媒体１０の再生データを外部の情報機器に出力したりする。
【００５５】
図４には、本実施形態の光記録媒体１０の断面構造が拡大して示されている。
【００５６】
光記録媒体１０は、外径が約１２０ｍｍ、厚みが約１．２ｍｍの円盤形状となっている。この光記録媒体１０は、第１表面１０Ａ側から順番に、第１カバー層１１、第１記録再生層群１４及び第１中間層群１６、第１バッファ層１７、第１サーボ層１８Ａ、サーボ間バッファ層１９、第２サーボ層２０、支持基板１２、第２バッファ層３７、第２記録再生層群３４及び第２中間層群３６、第２カバー層３１、第２表面３０Ａを備えて構成される。
【００５７】
第１記録再生層群１４は、ここではＬ０〜Ｌ５記録再生層１４Ａ〜１４Ｆを備えて構成されており、それぞれに情報を記録できる構造となっている。このＬ０〜Ｌ５記録再生層１４Ａ〜１４Ｆは、トラッキング制御用の凹凸や溝を有しない平面構造となっており、記録再生用光学系１００から高エネルギーとなる記録用のビーム１７０が照射されると、記録マークが形成される。なお、この第１記録再生層群１４の種類として、情報の追記が出来るが書き換えが出来ない追記型記録再生層と、情報の書換が可能な書換型記録再生層がある。
【００５８】
支持基板１２は、光記録媒体に求められる厚み（約１．２ｍｍ）を確保するための、厚さが１０μｍ〜１２００μｍ、好ましくは１０μｍ〜６００μｍの範囲内となる円盤形状の基板である。具体的に本実施形態では、支持基板１２の厚さを５００μｍに設定し、直径を１２０ｍｍに設定している。支持基板１２における第１表面１０Ａ側には、その中心部近傍から外縁部に向けてランド２０Ａおよびグルーブ２０Ｂが螺旋状に形成される。このランド２０Ａおよびグルーブ２０Ｂが、将来の第２サーボ層２０となり、トラッキング制御で利用される。
【００５９】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。
【００６０】
支持基板１２の上に形成される第２サーボ層２０は、支持基板１２の表面に形成されるトラッキング制御用の凹凸（ランド２０Ａおよびグルーブ２０Ｂ）と、その上に成膜される反射性の層で構成される。特に本実施形態では、反射性の層としてＡｌ、Ａｇ等の金属膜を形成し、単純な光反射膜として機能させている。この第２サーボ層２０は、第１光ピックアップ９０Ａのトラッキング用のビーム２７０Ａが照射された際に１０％以下の透過率となるように設計されている。結果、ビーム２７０Ａが反対側に漏れ出して、第２光ピックアップ９０Ｂ側のノイズ成分となることを回避する。なお、反射機能に加えて情報を記録可能な記録膜を設ける場合は、後述する記録再生層１４Ａ〜１４Ｆと略同じ膜構成としてもよい。
【００６１】
第２サーボ層２０における隣接するランド２０Ａ同士又はグルーブ２０Ｂ同士のピッチＰ１は、ここでは０．７４μｍ未満に設定される。具体的にピッチＰ１は０．６μｍ〜０．７μｍの範囲内に設定することが望ましく、より好ましくは０．６４μｍ近傍に設定される。第２サーボ層２０のランド２０Ａ同士／グルーブ２０Ｂ同士のピッチＰ１（０．６４μｍ前後）は、比較的長い赤色波長領域のビーム２７０Ａで十分なトラッキングができる大きさとなる。本実施形態では、ランド２０Ａとグルーブ２０Ｂの双方を利用してトラッキングを行う。結果、第２サーボ層２０のピッチＰ１に対して、記録マークのトラックピッチＰ２は、０．３７μｍ未満に設定され、望ましくは０．２６μｍ〜０．３５μｍの範囲内に設定され、より好ましくはピッチＰ１の半分（１／２）の０．３２μｍ近傍に設定される。結果、記録マーク間のトラックピッチＰ２は、ＢＤ規格との互換性のある０．３２μｍ前後となる。このように、ランド２０Ａとグルーブ２０Ｂをそれぞれ利用してトラッキング制御することで、第２サーボ層２０のピッチＰ２を小さくしなくても、記録再生層群１４の記録マークのトラックピッチＰ２を小さくできる。
【００６２】
サーボ間バッファ層１９は、第２サーボ層２０の表面において、光透過性のアクリル系の紫外線硬化型樹脂により構成される。この膜厚は、例えば３０μｍに設定されている。このサーボ間バッファ層１９の表面には、光透過性樹脂のスタンパを利用することによって、ランド１８Ａおよびグルーブ１８Ｂが螺旋状に形成される。このランド１８Ａおよびグルーブ１８Ｂは、第１サーボ層１８のトラッキング制御用の凹凸（溝）となる。このランド１８Ａ及びグルーブ１８Ｂのスパイラル方向は、第２サーボ層２０におけるランド２０Ａ及びグルーブ２０Ｂのスパイラル方向と反対となる。
【００６３】
サーボ間バッファ層１９の上に形成される第１サーボ層１８は、サーボ間バッファ層１９の表面に形成されるトラッキング制御用の凹凸（ランド１８Ａおよびグルーブ１８Ｂ）と、その上に成膜される反射性の層で構成される。ここでは、反射性の層としてＡｌ、Ａｇ等の金属膜をスパッタリングによって形成し、単純な光反射膜として機能させている。この第１サーボ層１８は、第２サーボ層２０と比較して透過率が高く設定されている。なお、反射機能に加えて情報を記録可能な記録膜を設ける場合は、後述する記録再生層１４Ａ〜１４Ｆと略同じ膜構成としてもよい。
【００６４】
第１サーボ層１８における隣接するランド１８Ａ同士又はグルーブ１８Ｂ同士のピッチＰ１は、第２サーボ層２０と一致させている。具体的には０．６４μｍ近傍に設定される。
【００６５】
第１バッファ層１７は、光透過性のアクリル系の紫外線硬化型樹脂により構成されており、膜厚が２０８μｍに設定されている。この第１バッファ層１７は、ビームの波長が短いほど光吸収量が大きくなる材料が選択されている。このようにすることで、青色波長のビーム１７０Ａの光吸収量が大きく、赤色波長のビーム２７０Ａの吸収量が小さくなる。結果、第１バッファ層１７は、青色波長のビーム１７０Ａがサーボ層１８に到達して反射する光量を抑制することができるので、再生時の信号ノイズを低減できる。一方、第１バッファ層１７は、赤色波長のビーム２７０Ａを積極的に透過することで、トラッキング信号の光量を増大させる。
【００６６】
第１バッファ層１７の第１表面１０Ａ側に積層される第１記録再生層群１４（Ｌ０〜Ｌ５記録再生層１４Ａ〜１４Ｆ）は、それぞれ、追記型記録膜の両外側に誘電体膜を積層した３層構造となっている（図示省略）。なお、このＬ０〜Ｌ５記録再生層１４Ａ〜１４Ｆは、第１光ピックアップ９０Ａの記録再生用光学系１００Ａにおける青色波長領域（短い波長）のビーム１７０Ａに対して光反射率・吸収率・透過率等が最適化されている。
【００６７】
各記録再生層の誘電体膜は、追記型記録膜を保護するという基本機能に加えて、記録マークの形成前後における光学特性の差を拡大させる役割も果たす。
【００６８】
なお、ビーム１７０Ａを照射した場合に、この誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００６９】
誘電体膜に挟まれる追記型記録膜は不可逆的な記録マークが形成される膜であり、記録マークが形成された部分とそれ以外の部分（ブランク領域）は、ビーム１７０Ａに対する反射率が大きく異なる。この結果、データの記録・再生を行うことができる。
【００７０】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００７１】
なお、ここではＬ０〜Ｌ５記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅを主成分とすることが好ましい。
【００７２】
第１中間層群１６は、第１表面１０Ａから遠い側から順番にＬ０〜Ｌ４中間層１６Ａ〜１６Ｅを有しており、Ｌ０〜Ｌ５記録再生層１４Ａ〜１４Ｆの間に積層される。各中間層１６Ａ〜１６Ｅは、アクリル系またはエポキシ系の紫外線硬化型樹脂によって構成される。このＬ０〜Ｌ４中間層１６Ａ〜１６Ｅの膜厚は、積層数を増大させるためには２０μｍ以下に設定することが好ましく、Ｌ０中間層１６Ａが１６μｍ、Ｌ１中間層１６Ｂが１２μｍ、Ｌ２中間層１６Ｃが１６μｍ、Ｌ３中間層１６Ｄが１２μｍ、Ｌ４中間層１６Ｅが１６μｍとなる。つまり、２種類の膜厚（１６μｍ、１２μｍ）の中間層が交互に積層されている。この結果、Ｌ０〜Ｌ５記録再生層１４Ａ〜１４Ｆの層間距離として、光入射面側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての中間層群１６の膜厚を同じに設定しても良い。
【００７３】
第１カバー層１１は、第１中間層群１６と同様に光透過性のアクリル系の紫外線硬化型樹脂により構成されており、４０μｍの膜厚に設定されている。
【００７４】
支持基板１２における第２表面３０Ａ側に形成される第２バッファ層３７は、光透過性のアクリル系の紫外線硬化型樹脂により構成されており、膜厚は、サーボ間バッファ層１９と第１バッファ層１７の合計値と同じ２３８μｍに設定されている。
【００７５】
第２バッファ層３７の第２表面３０Ａ側に積層される第２記録再生層群３４（Ｌ０〜Ｌ５記録再生層３４Ａ〜３４Ｆ）は、それぞれ、追記型記録膜の両外側に誘電体膜を積層した３層構造となっている（図示省略）。なお、このＬ０〜Ｌ５記録再生層３４Ａ〜３４Ｆは、第２光ピックアップ９０Ｂの記録再生用光学系１００Ｂにおける青色波長領域（短い波長）のビーム１７０Ｂに対して光反射率・吸収率・透過率等が最適化されている。
【００７６】
第２中間層群３６は、第２表面３０Ａから遠い側から順番にＬ０〜Ｌ４中間層３６Ａ〜３６Ｅを有しており、Ｌ０〜Ｌ５記録再生層３４Ａ〜３４Ｆの間に積層される。各中間層３６Ａ〜３６Ｅは、アクリル系またはエポキシ系の紫外線硬化型樹脂によって構成される。この中間層３６Ａ〜３６Ｅの膜厚は、積層数を増大させるためには２０μｍ以下に設定することが好ましく、Ｌ０中間層３６Ａが１６μｍ、Ｌ１中間層３６Ｂが１２μｍ、Ｌ２中間層３６Ｃが１６μｍ、Ｌ３中間層３６Ｄが１２μｍ、Ｌ４中間層３６Ｅが１６μｍとなる。つまり、２種類の膜厚（１６μｍ、１２μｍ）の中間層が交互に積層されている。この結果、Ｌ０〜Ｌ５記録再生層３４Ａ〜３４Ｆの層間距離として、第２表面３０Ａ側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての第２中間層群３６の膜厚を同じに設定しても良い。
【００７７】
なお、第２記録再生層群３４、第２中間層群３６の材料などは、第１記録再生層群１４及び第１中間層群１６と同じであるので、説明は省略する。
【００７８】
第２カバー層３１は、第２中間層群３６と同様に光透過性のアクリル系の紫外線硬化型樹脂により構成されており、４０μｍの膜厚に設定されている。
【００７９】
上記のように構成される結果、光記録媒体１０における支持基板１２と第１バッファ層１７との境界（第２サーボ層２０）は、第１表面１０Ａから３５０μｍの距離に位置する。また、第１サーボ層１８は第１表面１０Ａから３２０μｍの距離に位置する。
【００８０】
第１記録再生層群１４の中で第１表面１０Ａから最も遠いＬ０記録再生層１４Ａは、第１表面１０Ａから１１２μｍの距離に位置しており、Ｌ１記録再生層１４Ｂは第１表面１０Ａから９６μｍ、Ｌ２記録再生層１４Ｃは第１表面１０Ａから８４μｍ、Ｌ３記録再生層１４Ｄは第１表面１０Ａから６８μｍ、Ｌ４記録再生層１４Ｅは第１表面１０Ａから５６μｍ、そして、第１表面１０Ａに最も近いＬ５記録再生層１４Ｆは、第１表面１０Ａから４０μｍの距離に位置する。また、第１記録再生層群１４の全体的な厚み（Ｌ０記録再生層１４Ａ〜Ｌ５記録再生層１４Ｆ間の距離）は７２μｍとなる。。
【００８１】
また、第２記録再生層群３４の中で第２表面３０Ａから最も遠いＬ０記録再生層３４Ａは、第２表面３０Ａから１１２μｍの距離に位置しており、Ｌ１記録再生層３４Ｂは第２表面３０Ａから９６μｍ、Ｌ２記録再生層３４Ｃは第２表面３０Ａから８４μｍ、Ｌ３記録再生層３４Ｄは第２表面３０Ａから６８μｍ、Ｌ４記録再生層３４Ｅは第２表面３０Ａから５６μｍ、そして、第２表面３０Ａに最も近いＬ５記録再生層３４Ｆは、第２表面３０Ａから４０μｍの距離に位置する。また、第２記録再生層群３４の全体的な厚み（Ｌ０記録再生層３４Ａ〜Ｌ５記録再生層３４Ｆ間の距離）は７２μｍとなる。
【００８２】
即ち、この光記録媒体１０は、第１、第２サーボ層１８、２０が非対称に配置されることを除けば、厚さ方向に対称構造となっている。結果、光記録媒体１０を製造時に生じる内部応力が、厚さ方向に対称に発生することから、反りや変形を小さくすることが可能になる。特に、支持基板１２を７００μｍ以下、ここでは仮に１００μｍまで薄くしても、光記録媒体１０の反りや変形量を抑制することが可能となる。
【００８３】
次に、本実施形態の光記録媒体１０の製造方法について説明する。
【００８４】
図５Ａに示されるように、まず、金属スタンパを用いたポリカーボネイト樹脂の射出成型法により、片面のみにグルーブおよびランドが形成された支持基板１２を作製する。射出成形の型を利用して、この支持基板１２には、第１記録再生層群１４及び第２記録再生層群３４のアドレス情報、記録再生パワー等を含む記録条件、各記録再生層の位置又は層間距離など、媒体製造時に予め保持させておくべき基本情報がプリフォーマットされる。具体的には、ランド２０Ａ又はグルーブ２０Ｂのウォブルを利用して、基本情報がプリフォームされる。なお、支持基板１２の作製は射出成型法に限られず、２Ｐ法や他の方法によって作製しても構わない。
【００８５】
その後、支持基板１２におけるグルーブ及びランドが設けられた側の表面に第２サーボ層２０を形成する。第２サーボ層２０は、トラッキング用光学系２００Ａの光源に対して反射性のある膜（例えばＡｌやＡｇ等の金属膜）をスパッタリング法などによって形成する。
【００８６】
次に、図５Ｂに示されるように、この第２サーボ層２０が形成された支持基板１２の第２サーボ層２０側に、サーボ間バッファ層１９を形成する。この際、サーボ間バッファ層１９の表面にはグルーブ１８Ｂ及びランド１８Ａを形成する。具体的に、粘度調整されたアクリル系またはエポキシ系の紫外線硬化型樹脂を、スピンコート法等によって支持基板１２の両面に皮膜化し、サーボ間バッファ層１９側に対しては透明樹脂スタンパでグルーブ１８Ｂ及びランド１８Ａを形成してから紫外線を照射して硬化させる。結果、サーボ間バッファ層１９が形成される。なお、紫外線硬化性樹脂の代わりに、スプレー、ＤＩＰ法などによって、第２サーボ層２０の表面にサーボ間バッファ層１９を形成することもできる。
【００８７】
その後、サーボ間バッファ層１９の表面に第１サーボ層１８を形成する。具体的には、サーボ間バッファ層１９の表面に、トラッキング用光学系２００Ａの光源に対して反射性及び透過性の双方を有する膜（例えばＡｌやＡｇ等の金属薄膜）を、スパッタリング法などによって形成する。
【００８８】
次に、図５Ｃに示されるように、この第１サーボ層１８の表面と、反対側の支持基板１２の表面３０Ａに対して、第１バッファ層１７及び第２バッファ層３７を同時形成する。例えば、粘度調整されたアクリル系またはエポキシ系の紫外線硬化型樹脂をスピンコート法等により支持基板１２の両面に皮膜化し、これに対して紫外線を照射して硬化させて、第１、第２バッファ層１７、３７を形成する。なお、紫外線硬化性樹脂の代わりに、光透過性樹脂からなる光透過性シートを接着剤や粘着剤等を用いて支持基板１２の両面に貼り付けて、第１、第２バッファ層１７、３７とすることもできる。他にもスプレー、ＤＩＰ法などによって支持基板１２の両面に第１、第２バッファ層１７、３７を形成することもできる。
【００８９】
次に、図５Ｄに示されるように、第１バッファ層１７と第２バッファ層３７のそれぞれの上に、第１記録再生層群１４のＬ０記録再生層１４Ａと、第２記録再生層群３４のＬ０記録再生層３４Ａを同時に形成する。具体的には、誘電体膜、追記型記録膜、誘電体膜の順に気相成長法を用いて形成する。中でもスパッタリング法を用いることが好ましい。その後、第１記録再生層群１４のＬ０記録再生層１４Ａの上に、第１中間層群１６のＬ０中間層１６Ａを形成し、第２記録再生層群３４のＬ０記録再生層３４Ａの上に第２中間層群３６のＬ０中間層３６Ａを形成する。これらの形成も同時に行われる。なお、Ｌ０中間層１６Ａ、３４Ａは、例えば、粘度調整された紫外線硬化型樹脂をスピンコート法等により皮膜化し、その後、この紫外線硬化性樹脂に紫外線を照射して硬化することにより形成する。この手順を繰り返すことで、第１バッファ層１７側には第１記録再生層群１４及び第１中間層群１６が交互に積層され、第２バッファ層３７側には第２記録再生層群３４及び第２中間層群３６が交互に積層されていく。
【００９０】
第１記録再生層群１４のＬ５記録再生層１４Ｆの形成と、第２記録再生層群３４のＬ５記録再生層３４Ｆの形成まで完成したら、図５Ｅに示されるように、その上に第１及び第２カバー層１１、３１を同時に形成してこの光記録媒体１０が完成する。この第１、第２カバー層１１、３１は、例えば、粘度調整されたアクリル系またはエポキシ系の紫外線硬化型樹脂をスピンコート法等により皮膜し、これに対して紫外線を照射して硬化することにより形成する。なお、本実施形態では上記製造方法を説明したが、本発明は上記製造方法に特に限定されるものではなく、他の製造技術を採用することもできる。
【００９１】
次に、図６〜図９を参照して、本実施形態の光記録再生装置７０を用いて、光記録媒体１０に情報を記録再生する光記録再生方法について説明する。本実施形態では、第１サーボ層１８を利用して第１、第２記録再生層群へ情報を同時に記録する工程と、第２サーボ層２０を利用して第１、第２記録再生層群へ情報を同時に記録する工程を交互に繰り返す。
【００９２】
まず、この光記録再生方法を行う際の前提条件について説明する。図９に示されるように、光記録媒体１０は第１表面１０Ａを下側、第２表面３０Ａを上側とした状態でスピンドルＳの上に配置する。このスピンドルＳを下側から軸視した際、光記録媒体１０は時計回りに回転する。第１サーボ層１８のランド１８Ａ及びグルーブ１８Ｂの第１スパイラル方向は、光記録媒体１０を第１表面１０Ａ側から視た場合に、反時計回りに沿って内周側から外周側に広がる方向に設定されている。一方、第２サーボ層２０のランド２０Ａ及びグルーブ２０Ｂの第２スパイラル方向は、光記録媒体１０を第１表面１０Ａ側から視た場合に、時計回りに沿って内周側から外周側に広がる方向、即ち第１スパイラル方向と反対方向に設定されている。またここでは、第１光ピックアップ９０Ａを利用して第１記録再生層群１４に対して記録又は再生を行う場合を第１記録再生動作と呼び、第２光ピックアップ９０Ｂを利用して第２記録再生層群３４に対して記録又は再生を行う場合を第２記録再生動作と呼ぶ。
【００９３】
＜第１サーボ層を利用した第１、第２記録再生層群への情報の同時記録＞
【００９４】
デジタル信号処理装置８６における入出力インターフェース部８７Ｃは、外部の情報機器から記録予定となるデータを受け取り、そのデータを分割／合成処理部８７Ｃに送信する。分割／合成処理部８７Ｃでは、送信された記録予定のデータを、第１データと第２データに分割して、記録処理部８７Ｂに伝達する。記録処理部８７Ｂは、第１光ピックアップ９０Ａの光源１０１Ａの記録パワーを制御して、第１記録再生層群１４に対して第１データを記録する（第１記録再生動作）。これと同時に、記録処理部８７Ｂは、第２光ピックアップ９０Ｂの光源１０１Ｂの記録パワーを制御して、第２記録再生層群３４に対して第２データを記録する（第２記録再生動作）。第１、第２記録再生動作は詳細は以下の通りとなる。
【００９５】
（第１記録再生動作）図６及び図９（Ａ）に示されるように、第１記録再生層群１４のＬ０記録再生層１４Ａに情報を記録する際、第１光ピックアップ９０Ａのトラッキング用光学系２００Ａの赤色波長領域のビーム２７０Ａを、第１表面１０Ａから第１サーボ層１８に照射してトラッキングを行う。具体的には、第１サーボ層１８におけるグルーブ１８Ｂ及びランド１８Ａに対して、ビーム２７０Ａのスポットを照射してトラッキングを行う。
【００９６】
更にトラッキングと同時に、第１光ピックアップ９０Ａの記録再生用光学系１００Ａの青色波長領域の記録用ビーム１７０Ａを、第１表面１０ＡからＬ０記録再生層１４Ａに照射する。
【００９７】
この結果、第１表面１０Ａ側から視て、時計回りに回転する光記録媒体１０に対して、このグルーブ１８Ｂ及びランド１８Ａに沿って内周から外周に移動しながら、Ｌ０記録再生層１４Ａに情報が記録される。なお、Ｌ０記録再生層１４Ａに形成される記録マークのトラックピッチＰ２は、グルーブ１８Ｂ又はランド１８Ａ間のピッチＰ１の半分になる。
【００９８】
（第２記録再生動作）第２記録再生層群３４のＬ０記録再生層３４Ａに情報を記録する際、第１記録再生動作における第１光ピックアップ９０Ａのトラッキング誤差信号を利用して、第２光ピックアップ９０Ｂのトラッキング制御を行う。結果、第１光ピックアップ９０Ａと第２光ピックアップ９０Ｂは、光軸が対向し、かつ略同軸状態となる。この状態で、第２光ピックアップ９０Ｂの記録再生用光学系１００Ｂの青色波長領域の記録用ビーム１７０Ｂを、Ｌ０記録再生層３４Ａに照射する。
【００９９】
この結果、図９（Ａ）に示されるように、第２表面３０Ａ側から視て、反時計回りに回転する光記録媒体１０に対して、第１サーボ層１８ののグルーブ１８Ｂ及びランド１８Ａに沿って内周から外周に移動しながら、Ｌ０記録再生層３４Ａに情報が記録される。なお、Ｌ０記録再生層３４Ａに形成される記録マークのトラックピッチＰ２も、第１サーボ層１８のグルーブ１８Ｂ又はランド１８Ａ間のピッチＰ１の半分となる。
【０１００】
以上の第１記録動作と第２記録動作を同時並行的に進めることで、第１サーボ層１８を利用した第１、第２記録再生層群１４、３４に対する情報の同時記録が実現される。
【０１０１】
なお、第１サーボ層１８には、光記録媒体１０に関する基本仕様や、第１、第２記録再生層群１４、３４の積層枚数に関する情報が、記録ピットやＢＣＡ（バーストカッティングエリア）に予め記録されている。従って、赤色波長領域のビーム２７０Ａによって、トラッキング制御の開始前に常に読み出すようになっている。光記録媒体１０に関する基本仕様としては、第１、第２サーボ層１８、２０の位置、各記録再生層の位置、記録再生層群の層間距離に関するルールを含むようになっている。
【０１０２】
第１記録再生層群１４のＬ０記録再生層１４Ａと、第２記録再生層群３４のＬ０記録再生層３４Ａに対して、必要な情報の記録が完了した後は、今回の追記情報（記録に関するアドレス情報、コンテンツ情報等）を、このＬ０記録再生層１４Ａ、３４Ａの一部に予め確保されている管理領域に同時に記録しておく。
【０１０３】
その後、Ｌ０記録再生層１４Ａ、３４Ａに対する情報の記録を再開する場合は、先ず、Ｌ０記録再生層１４Ａ、３４Ａ管理領域を再生して、前回の記録が完了した位置を確認し、その位置から記録を継続する。このようにして、Ｌ０記録再生層１４Ａ、３４Ａにおけるデータ領域の全てに対して情報の記録が完了するまで、記録作業を同時に継続していく。
【０１０４】
＜第２サーボ層を利用した第１、第２記録再生層群への情報の同時記録＞
【０１０５】
Ｌ０記録再生層１４Ａ、３４Ａのデータ領域への記録が終わったら、図７及び図９（Ｂ）に示されるように、Ｌ０記録再生層１４Ａ、３４Ａに隣接するＬ１記録再生層１４Ｂ、３４Ｂのデータ領域に対して記録を開始する。
【０１０６】
（第１記録再生動作）第１記録再生層群１４のＬ１記録再生層１４Ｂに情報を記録する際、第１光ピックアップ９０Ａの赤色波長領域のビーム２７０Ａを、第１表面１０Ａから第２サーボ層２０に照射してトラッキングを行う。具体的には、第２サーボ層２０におけるグルーブ２０Ｂ及びランド２０Ａに対して、ビーム２７０Ａのスポットを照射してトラッキングを行う。
【０１０７】
更にトラッキングと同時に、第１光ピックアップ９０Ａの記録再生用光学系１００Ａの青色波長領域の記録用ビーム１７０Ａを、第１表面１０ＡからＬ１記録再生層１４Ｂに照射する。
【０１０８】
この結果、第１表面１０Ａ側から視て、時計回り（第１回転方向）に回転する光記録媒体１０に対して、このグルーブ２０Ｂ及びランド２０Ａに沿って外周から内周に移動しながら、Ｌ１記録再生層１４Ｂに情報が記録される。なお、Ｌ１記録再生層１４Ｂに形成される記録マークのトラックピッチＰ２は、グルーブ２０Ｂ又はランド２０Ａ間のピッチＰ１の半分になる。
【０１０９】
（第２記録再生動作）第２記録再生層群３４のＬ１記録再生層３４Ｂに情報を記録する際、第１記録再生動作における第１光ピックアップ９０Ａのトラッキング誤差信号を利用して、第２光ピックアップ９０Ｂのトラッキング制御を行う。このトラッキングと同時に、第２光ピックアップ９０Ｂの記録再生用光学系１００Ｂの青色波長領域の記録用ビーム１７０Ｂを、Ｌ１記録再生層３４Ｂに照射する。
【０１１０】
この結果、第２表面３０Ａ側から視て、反時計回り（第２回転方向）に回転する光記録媒体１０に対して、第２サーボ層２０のグルーブ２０Ｂ及びランド２０Ａに沿って外周から内周に移動しながら、Ｌ１記録再生層３４Ｂに情報が記録される。なお、Ｌ１記録再生層３４Ｂに形成される記録マークのトラックピッチＰ２も、第２サーボ層２０のグルーブ２０Ｂ又はランド２０Ａ間のピッチＰ１の半分となる。
【０１１１】
以上の第１記録動作と第２記録動作を同時並行的に進めることで、第２サーボ層２０を利用した第１、第２記録再生層群１４、３４に対する情報の同時記録が実現される。
【０１１２】
なお、Ｌ１、Ｌ２記録再生層１４Ｂ、３４Ｂに対して、必要な情報の記録が完了した後は、今回の追記情報（記録に関するアドレス情報、コンテンツ情報等）を、先ほどのＬ０記録再生層１４Ａ、３４Ａの管理領域に記録しておく。
【０１１３】
以上の記録動作を繰り返す結果、本光記録再生方法では、図７の矢印Ｑに示されるように、第１サーボ層１８を利用することによる、光記録媒体１０の半径方向の内側から外側に向かう記録と、第２サーボ層２０を利用することによる、光記録媒体１０の半径方向の外側から内側に向かう記録が交互に実行される。
【０１１４】
また本実施形態では、第１、第２記録再生層群１４、３４において、厚さ方向の中心側から同じ積層順位となる一対の記録再生層に対して、同時に情報が記録される。特に、光記録媒体１０の厚さ方向の中心側から外側に向かって、積層される順番に一対の記録再生層が選択されて情報が記録されていく。
【０１１５】
なお、ここではＬ０記録再生層１４Ａ、３４Ａにおいて、管理領域を確保する場合を例示したが、他の記録再生層を管理領域として利用することも可能である。また、第１、第２サーボ層１８、２０が記録膜を備える場合には、この第１、第２サーボ層１８、２０に管理領域を確保し、そこに追記情報を記録しておくことが好ましい。第１、第２サーボ層１８、２０への記録は、トラッキング制御を行うビーム２７０Ａを利用すれば良い。管理情報を第１、第２サーボ層１８、２０に集約させることで、第１記録再生層群１４と第２記録再生層群３４の双方の管理情報を同時に把握することも可能になる。
【０１１６】
＜第１、第２記録再生層群の情報の同時再生＞
【０１１７】
デジタル信号処理装置８６が、外部の情報機器から光記録媒体１０に記録されているデータの再生要求を受けた場合、デジタル信号処理装置８６の再生処理部８７Ａは、第１、第２光ピックアップ９０Ａ、９０Ｂの光源１０１Ａ、１０１Ｂのパワーを所定の再生レベルに一定に制御して、光記録媒体１０に記録されている情報を再生する。既に記録動作において説明したように、本実施形態では、記録予定となるデータが、第１データと第２データに分割されて、第１、第２記録再生層群１４、３４の同じ積層順位となる一対の記録再生層に別々に記録されていることから、再生時は、この第１データと第２データを同時に再生し、これらを合成して再生データを復元する。
【０１１８】
（第１記録再生動作）図８に示されるように、第１記録再生層群１４のＬ０記録再生層１４Ａに記録されている第１データを再生する際は、第１光ピックアップ９０Ａの記録再生用光学系１００Ａのビーム１７０ＡをＬ０記録再生層１４Ａに照射して、トラッキング制御とフォーカス制御を行いながら再生を行う。
【０１１９】
（第２記録再生動作）第２記録再生層群３４のＬ０記録再生層３４Ａに記録されている第２データを再生する際は、第２光ピックアップ９０Ｂの記録再生用光学系１００Ｂのビーム１７０ＢをＬ０記録再生層３４Ａに照射して、トラッキング制御とフォーカス制御を行いながら再生を行う。
【０１２０】
この第１再生動作と第２再生動作を同時並行的に進めることで、第１、第２記録再生層群１４、３４における第１データと第２データの同時再生が実現される。なお、記録時は、第１、第２サーボ層１８、２０を利用してトラッキング制御を行ったが、同時再生の際は、それぞれの記録再生用光学系１００Ａ、１００Ｂを用いて、第１、第２光ピックアップ９０Ａ、９０Ｂのそれぞれを別々にトラッキング制御する。
【０１２１】
再生処理部８７Ａは、第１、第２光ピックアップ９０Ａ、９０Ｂのアナログ再生信号を受け取って、このアナログ信号をデジタル信号に変換して第１データ、第２データを得る。更に再生処理部８７Ａは、これらの第１、第２データを分割／合成処理部８７Ｃに転送する。分割／合成処理部８７Ｃでは、再生処理部８７Ａから受け取った第１、第２データを合成して一つの再生データとし、この再生データを入出力インターフェース部８７Ｃに伝達する。入出力インターフェース部８７Ｃは、この再生データを外部の情報機器に対して出力する。
【０１２２】
以上、本実施形態の光記録再生方法によれば、第１又は第２サーボ層１８、２０に対してトラッキング用のビーム２７０Ａを照射してトラッキング制御を行いながら、第１表面１０Ａ側から視て時計回りに回転する第１記録再生層群１４に対して、記録再生用のビーム１７０Ａを照射して情報を記録又は再生し、これと同時に、第２表面３０Ａ側から視て反時計回りに回転する第２記録再生層群３４に対して、記録再生用ビーム１７０Ｂを照射して情報を記録又は再生する。これにより、一対の記録再生層に対して同時に情報を記録又は再生することができるので、情報の転送レートを大幅に高めることが可能となる。
【０１２３】
更に本光記録再生方法では、第１又は第２サーボ層１８、２０のいずれかを共用することで、第１光ピックアップ９０Ａの記録再生用ビーム１７０Ａと、第２光ピックアップ９０Ｂの記録再生用ビーム１７０Ｂを互いに略同軸状態に維持しながら、一対の記録再生層に対して情報を同時に記録する。この結果、第１データと第２データは、常に同じトラッキング位置に記録されるので、同時に再生する際の再生制御を簡潔にすることができる。また、光記録再生装置７０における第２光ピックアップ９０Ｂでは、トラッキング用光学系を省略することが可能となり、構造も簡潔にすることができる。
【０１２４】
なお、本実施形態では、第２サーボ層２０に照射されるトラッキング用のビーム２７０Ａが、第２サーボ層２０を多量に通過してしまうと、同軸に配置される第２光ピックアップ９０Ｂに悪影響を与えやすい。そこで本光記録媒体１０では、第２サーボ層２０において、トラッキング用のビーム２７０Ａの透過率が１０％以下に設定することで、ビーム２７０Ａの第２光ピックアップ９０Ｂ側への悪影響を抑制している。
【０１２５】
また光記録再生装置７０のデジタル信号処理装置８６は、外部の情報機器から受け取った記録データを、第１記録動作用の第１データと、第２記録動作側の第２データに分割して、一対の記録再生層に同時記録する。また、このデジタル信号処理装置８６は、この一対の記録再生層に同時記録された第１データ及び第２データを同時再生し、更にこの第１データ及び第２データを合成して、あたかも一つの再生データであったかのように、外部の情報機器に出力する。従って、外部の情報機器に対しては、従来の１つの記録再生層に対して記録又は再生する光記録再生装置と同じインターフェースを提供することが可能となるので、外部の情報機器の仕様変更を不要にすることができる。
【０１２６】
更に本光記録再生方法では、光記録媒体１０が、サーボ層として、第１スパイラル方向にトラッキング制御用の凹凸又は溝を有する第１サーボ層１８と、この第１スパイラル方向と反対の第２スパイラル方向にトラッキング制御用の凹凸又は溝を有する第２サーボ層２０を備える。また、第１サーボ層１８を共用して光記録媒体１０の内周側から外周側に向かってトラッキング制御を行いながら、第１記録動作及び第２記録動作を同時に行う工程と、第２サーボ層２０を共用して光記録媒体１０の外周側から内周側に向かってトラッキング制御を行いながら、第１記録動作及び前記第２記録動作を行う工程を、記録再生層を切り換える毎に交互に行うようになっている。従って、図７に示したように、記録再生層を切り換える際、第１、第２光ピックアップ９０Ａ、９０Ｂの記録再生用のビーム１７０Ａ、１７０Ｂをフォーカス方向に移動させるだけで、移動先となる一対の記録再生層の記録開始位置又は再生開始位置に素早く移動することができる。結果、記録再生層の切換時における転送レートの低下を抑制することが可能となる。
【０１２７】
また本光記録再生方法では、トラッキング用のビーム２７０Ａの波長と、記録再生用のビーム１７０Ａ、１７０Ｂの波長が互いに異なるように設定されている。特にトラッキング用のビーム２７０Ａが赤色の６３０〜６８０ｎｍ、記録再生用のビーム１７０Ａ、１７０Ｂの波長が青色の３８０〜４５０ｎｍに設定されている。
【０１２８】
これに加えて、この光記録媒体１０では、トラッキング用の赤色波長のビーム２７０Ａを照射した場合の第１、第２サーボ層１８、２０の反射率が、仮に記録再生用のビーム１７０Ａを第１、第２サーボ層１８、２０に照射した場合の反射率と比較して大きく設定されている。具体的にこれを実現する為に、第１バッファ層１７に関して、ビームの波長が短いほど光吸収量が大きくなる材料が選択されている。
【０１２９】
このようにすると、青色波長となる記録再生用のビーム１７０Ａが仮に第１、第２サーボ層１８、２０側に入射しても、第１バッファ層１７で吸収され易いので、第１、第２サーボ層１８、２０に到達する光量（第１、第２サーボ層１８、２０からの反射光量）を抑制できる。一方、第１光ピックアップ９０Ａによるトラッキング用のビーム２７０Ａは、第１バッファ層１７を積極的に透過できるので、第１、第２サーボ層１８、２０に到達する光量（第１、第２サーボ層１８、２０からの反射光量）を増大させることができる。結果、再生信号の品質を高めると同時に、安定したトラッキング制御を実現できる。
【０１３０】
なお、本実施形態では、第１バッファ層１７において、トラッキング用のビーム（赤色波長）と記録再生用のビーム（青色波長）で光吸収率が異なる特性を付与し、結果的に、第１、第２サーボ層１８、２０の反射率が、トラッキング用ビームと記録再生用ビームで異なるようにしたが、本発明はこれに限定されない。例えば、第１、第２サーボ層１８、２０に形成される反射膜自体に、波長によって反射率が異なるような波長依存特性を付与するようにしても良い。また、第１バッファ層１７とは別に、光透過率や吸収率の波長依存特性を有するフィルタ層を別途形成するようにしても良い。
【０１３１】
また、この光記録再生方法によれば、独立した２つの記録再生用のビーム１７０Ａ、１７０Ｂを利用して情報を記録している。従って、第１、第２光ピックアップ９０Ａ、９０Ｂの記録再生用のビーム１７０Ａ、１７０Ｂの焦点移動範囲を、厚さ方向で分担させることが可能となる。結果、記録再生層の層数を増やしても、チルト等におけるコマ収差に対して有利な状態にすることができる。
【０１３２】
具体的に本光記録再生方法では、第１記録動作を行う第１光ピックアップ９０Ａでは、光記録媒体１０の第１表面１０Ａ側に配置される第１記録再生層１４に対して記録を行い、第２記録動作を行う第２光ピックアップ９０Ｂでは、光記録媒体１０の第２表面３０Ａ側に配置される第２記録再生層３４に対して記録を行う。結果、この光記録媒体１０は、第１記録再生層１４を第１表面１０Ａに近づけると共に、第２記録再生層群３４を第２表面３０Ａに近づけることができる。これにより、記録再生層の層数を増大させながらも、更にチルト等におけるコマ収差に対して有利になる。
【０１３３】
また、本実施形態で用いている光記録媒体１０の第１記録再生層群１４と第２記録再生層群３４は、光記録媒体１０の厚さ方向の中心を基準として対称となる位置に同数配置されている。このようにすると、光記録再生装置７０の第１、第２光ピックアップ９０Ａ、９０Ｂの光学設計や、記録再生層の位置認識、フォーカス制御などを共通化でき、記録再生速度の高速化を実現できる。また、光記録媒体１０において第１、第２記録再生層群１４、３４に生じる内部応力も厚さ方向に対称になるので、光記録媒体１０の反りを抑制することにもつながる。例えば支持基板１２の厚さを１００μｍ〜１０００μｍの範囲内に設定しても、光記録媒体１０の反りを抑制することが可能となる。
【０１３４】
更に、本光記録再生方法では、第１記録再生層群１４と第２記録再生層群３４に対して、光記録媒体１０の厚さ方向の中心から同じ積層順位となる記録再生層に対して同時に情報を記録している。このようにすると、記録対象となる一対の記録再生層について、光記録媒体１０の表面１０Ａ、３０Ａからの距離が互いに近似すると共に、ビームの光路も対称状態になる。結果、例えば第１光ピックアップ９０Ａにおいて得られる制御用信号、具体的には光記録媒体１０の傾きや面振れなどの制御情報は、その情報の極性を反対にすれば、そのまま第２光ピックアップ９０Ｂの制御用信号として用いることが出来る。結果、第２光ピックアップ９０Ｂでは、この制御用信号を得る為の特殊はフォトダイオード機構などを省略することも可能になる。
【０１３５】
更にこの光記録媒体１０では、比較的肉厚となる第１バッファ層１７と第２バッファ層３７の厚みを近似させ、なおかつ、これらの第１、第２バッファ層１７、３７を同時に形成することで、支持基板１２の反りを抑制することができる。これは、支持基板１２を薄くしたり、剛性の低い材料で構成したりできることを意味し、その分だけ、記録再生層を形成するスペースを増大させることが可能になる。
【０１３６】
特に本実施形態では、光記録媒体１０を製作する際に、サーボ間バッファ層１９を除いて、第１バッファ層１７と第２バッファ層３７、第１記録再生層群１４と第２記録再生層群３４、第１中間層群１６と第２中間層群３６を、両側の面において同時に形成していく。結果、紫外線硬化時の発生する内部応力が、支持基板１２の両側に均等に作用するので、光記録媒体１０の反りを一層低減できることになる。
【０１３７】
なお、上記実施形態の光記録再生方法では、第１、第２記録再生層群１４、３４において、光記録媒体１０の厚さ方向の中心側から外側に向かって積層順に情報を記録する場合を例示したが、本発明はこれに限定されない。例えば、第１、第２記録再生層群１４、３４において、光記録媒体１０の外側から中心側に向かって積層順に情報を記録することも可能である。また、積層順位を同じくする一対の記録再生層を、第１、第２記録再生層群１４、３４からランダムに抽出して記録するようにしても良い。
【０１３８】
更に、なお、上記実施形態の光記録再生方法では、光記録媒体１０の厚さ方向の中心側から積層順位を同じくする一対の記録再生層に情報を記録又は再生する場合を例示したが、本発明はこれに限定されない。例えば図１０の矢印Ｑに示されるように、第１記録再生動作における第１記録再生層群１４の第１表面１０Ａ側からの積層順位と、第２記録再生動作における第２記録再生層群３４の光記録媒体１０の厚さ方向の中心側からの積層順位が同じになるような一対の記録再生層を選択することも可能である。
【０１３９】
このようにすると、第１光ピックアップ９０Ａ側の記録再生用のビーム１７０Ａの焦点と、第２光ピックアップ９０Ｂ側の記録再生用のビーム１７０Ｂの焦点との焦点間距離Ｔを、一定又は比較的安定させることができる。結果、一対のビーム１７０Ａ、１７０Ｂの焦点間に存在する中間層群１６、３６の数も常に一定になる。従って、中間層群１６、３６の成膜誤差による焦点間距離Ｔの変動量を、一定の範囲内に収めることが可能となり、フォーカスエラー等を低減することに繋がる。特に、ビーム１７０Ａ、１７０Ｂが次の記録再生層にジャンプする際も、焦点間距離Ｔを固定させた状態で、ビーム１７０Ａ、１７０Ｂの焦点を同時に移動させれば、誤った記録再生層にジャンプする確率を低減できる。
【０１４０】
また上記実施形態の光記録媒体１０では、第１カバー層１１と第２カバー層３１の厚さを同じにする場合を例示したが、本発明はこれに限定されない。例えば図１１に示される光記録媒体１０のように、第１カバー層１１と第２カバー層３１の厚みを異ならせることも好ましい。具体的には、第２カバー層３１の厚みと比較して、第１カバー層１１の厚みを支持基板１２の厚さ分だけ大きく設定する。このようにすることで、第１、第２サーボ層１８、２０が、光記録媒体１０の厚さ方向の中心に配置することになる。なお、この光記録媒体１０を製作する際は、厚さの異なる第１カバー層１１と第２カバー層３１を別々に積層することが好ましい。これらを同時に積層しなくても、支持基板１２や、第１、第２バッファ層１７、３７、第１記録再生層群１４及び第１中間層群１６、第２記録再生層群３４及び第２中間層群３６によって、既にある程度の剛性が確保されているので、光記録媒体１０の反りや変形が十分に抑制される。
【０１４１】
また、図１２に示される光記録媒体１０のように、第１、第２バッファ層１７、３７の厚みを変えたり、第１、第２記録再生層群１４、３４の層間距離や積層数を変えたりすることで、結果として第１、第２サーボ層１８、２０を、厚さ方向の中心に位置させることも可能である。
【０１４２】
更に上記実施形態では、第１、第２記録再生層群１４、３４の各記録再生層として、予め記録膜が成膜されている場合に限って示したが、本発明はこれに限定されない。例えば図１３に示される光記録媒体１０のように、将来の第１、第２記録再生層群となり得る場所の全体を、所定の厚みを有する第１、第２バルク層１３、３３とすることができる。この第１、第２バルク層１３、３３に記録用ビーム１７０Ａ、１７０Ｂが照射されると、ビームスポットの焦点部分のみが状態変化をおこして記録マークが形成される。即ち、本発明における光記録媒体は、ビームが照射される記録再生層が予め形成されたものに限られず、平面領域に記録マークが随時形成され、この記録マークの集合体として、第１、第２記録再生層群１４、３４が事後的に多層構成される場合も含んでいる。光記録媒体１０にバルク層１３、３３の構造を採用することにより、バルク層１３、３３の範囲内であれば、記録再生層の位置を自由に設定できる。例えば、第１バルク層１３と第２バルク層３３の厚さや配置が互いに異なっていても、第１、第２記録再生層群１４、３４の第１、第２表面１０Ａ、３０Ａからの距離を、互いに一致させることもできる。なお、ここでは第１、第２バルク層１３、３３を採用する際に、カバー層やバッファ層を省略する構造を例示している。
【０１４３】
また、本実施形態の光記録再生方法が適用される光記録媒体１０は、支持基板１２の一方側に第１、第２サーボ層１８、２０の双方が形成され、この支持基板１２の両面に第１記録再生層群１４と第２記録再生層群３４が配置されている場合を示したが、本発明はこれに限定されない。例えば、図１４に示されるように、支持基板１２の一方側に第１サーボ層１８、他方側に第２サーボ層２０を配置するようにしても良い。光記録媒体１０の厚さ方向の対称性が更に向上するので、反りを低減させることが可能となる。
【０１４４】
なお、本実施形態では、トラッキング用のビーム２７０Ａの波長と、記録再生用のビーム１７０Ａ、１７０Ｂの波長が赤色と青色で異なる場合を示したが、本発明はこれに限定されず、トラッキング用と記録再生用の間で同じ波長領域のビームを採用しても良い。
【産業上の利用可能性】
【０１４５】
本発明の光記録媒体等は、サーボ層と記録再生層を有する各種光記録媒体に適用することができる。
【符号の説明】
【０１４６】
１０              光記録媒体
１１              第１カバー層
１２              支持基板
１４              第１記録再生層群
１６              第１中間層群
１７              第１バッファ層
１８              第１サーボ層
１９              サーボ間バッファ層
２０              第２サーボ層
３１              第２カバー層
３４              第２記録再生層群
３６              第２中間層群
３７              第２バッファ層
９０Ａ            第１光ピックアップ
９０Ｂ            第２光ピックアップ
【図１】
2012208990.tif 000003
【図２】
2012208990.tif 000004
【図３】
2012208990.tif 000005
【図４】
2012208990.tif 000006
【図５Ａ】
2012208990.tif 000007
【図５Ｂ】
2012208990.tif 000008
【図５Ｃ】
2012208990.tif 000009
【図５Ｄ】
2012208990.tif 000010
【図５Ｅ】
2012208990.tif 000011
【図６】
2012208990.tif 000012
【図７】
2012208990.tif 000013
【図８】
2012208990.tif 000014
【図９】
2012208990.tif 000015
【図１０】
2012208990.tif 000016
【図１１】
2012208990.tif 000017
【図１２】
2012208990.tif 000018
【図１３】
2012208990.tif 000019
【図１４】
2012208990.tif 000020